(57)【要約】      （修正有）【課題】チェックチェーンに泥が付着するのを防止するチェックチェーンカバーを提供する。【解決手段】牽引車３と作業機具４とを接続するリンク機構５に設けられた操作枠８とその操作枠８に螺着された前後一対のロッド９，１０とを有するチェックチェーン２を被覆するチェックチェーンカバー１である。チェックチェーン２の操作枠８とロッド９，１０との螺着部分１５，２０を被覆する。また、チェックチェーン２の前方のロッド側を被覆するカバー１１と、チェックチェーン２の後方のロッド側を被覆する後側カバー１２とに分離可能とする。さらに、チェックチェーン２の伸延方向に沿って収縮可能とする。【選択図】図１
0003189098.tif 000002
【実用新案登録請求の範囲】
【請求項１】
牽引車と作業機具とを接続するリンク機構に設けられた操作枠とその操作枠に螺着された前後一対のロッドとを有するチェックチェーンを被覆するチェックチェーンカバーであって、チェックチェーンの操作枠とロッドとの螺着部分を被覆することを特徴とするチェックチェーンカバー。
【請求項２】
前記チェックチェーンの前方のロッド側を被覆する前側カバーと、チェックチェーンの後方のロッド側を被覆する後側カバーとに分離可能としたことを特徴とする請求項１に記載のチェックチェーンカバー。
【請求項３】
前記チェックチェーンの伸延方向に沿って収縮可能としたことを特徴とする請求項１又は請求項２に記載のチェックチェーンカバー。
【考案の詳細な説明】
【技術分野】
【０００１】
本考案は、牽引車と作業機具とを接続するリンク機構に設けられたチェックチェーンを被覆するチェックチェーンカバーに関するものである。
【背景技術】
【０００２】
従来より、農作業機は、トラクター等の牽引車の後部にリンク機構を取付け、リンク機構に耕運機等の作業機具を取付けることで、牽引車に作業機具を連結している。
【０００３】
この牽引車と作業機具との連結部では、作業機具の左右への横揺れを防止するために、リンク機構に長さ調節可能なチェックチェーンが取付けられている。このチェックチェーンは、操作枠に前後一対のロッドが螺着されており、前側のロッドが牽引車の後部に連結されており、後側のロッドがリンク機構の側部に連結されている。そして、チェックチェーンは、操作枠を回転させることで、前後のロッドを伸縮させて、長さ調節するようにしている（たとえば、特許文献１参照。）。
【先行技術文献】
【特許文献】
【０００４】
【特許文献１】特開２００４−２２５号公報
【考案の概要】
【考案が解決しようとする課題】
【０００５】
ところが、農作業機は圃場で使用されるために、使用によってチェックチェーンに泥が付着する。
【０００６】
そのため、チェックチェーンの操作枠やロッドが腐食してしまうおそれがあった。また、操作枠とロッドとの螺着部分に泥が侵入してしまい、操作枠を回転させることができず、長さ調節ができなくなるおそれがあった。
【課題を解決するための手段】
【０００７】
そこで、請求項１に係る本考案では、牽引車と作業機具とを接続するリンク機構に設けられた操作枠とその操作枠に螺着された前後一対のロッドとを有するチェックチェーンを被覆するチェックチェーンカバーであって、チェックチェーンの操作枠とロッドとの螺着部分を被覆することにした。
【０００８】
また、請求項２に係る本考案では、前記請求項１に係る本考案において、前記チェックチェーンの前方のロッド側を被覆する前側カバーと、チェックチェーンの後方のロッド側を被覆する後側カバーとに分離可能とすることにした。
【０００９】
また、請求項３に係る本考案では、前記請求項１又は請求項２に係る本考案において、前記チェックチェーンの伸延方向に沿って収縮可能とすることにした。
【考案の効果】
【００１０】
そして、本考案では、以下に記載する効果を奏する。
【００１１】
すなわち、本考案では、牽引車と作業機具とを接続するリンク機構に設けられた操作枠とその操作枠に螺着された前後一対のロッドとを有するチェックチェーンを被覆するチェックチェーンカバーであって、チェックチェーンの操作枠とロッドとの螺着部分を被覆することにしているために、チェックチェーンに泥が付着するのを防止することができ、これにより、チェックチェーンの操作枠やロッドの腐食を防止することができ、また、チェックチェーンの操作枠をロッドに対して円滑に回動させることができ、チェックチェーンによる長さ調節を容易なものとすることができる。
【００１２】
特に、チェックチェーンの前方のロッド側を被覆する前側カバーと、チェックチェーンの後方のロッド側を被覆する後側カバーとに分離可能とした場合には、前側カバーと後側カバーとを分離することでチェックチェーンカバーを取付けた状態のままチェックチェーンの操作枠の回動操作を行うことができる。
【００１３】
また、チェックチェーンの伸延方向に沿って収縮可能とした場合には、チェックチェーンカバーの収縮力によってチェックチェーンにチェックチェーンカバーを強固に装着させることができる。
【図面の簡単な説明】
【００１４】
【図１】本考案に係るチェックチェーンカバーを示す使用状態平面図（ａ）、同拡大平面図（ｂ）、同拡大側面断面図（ｃ）。
【考案を実施するための形態】
【００１５】
以下に、本考案に係るチェックチェーンカバーの具体的な構成について図面を参照しながら説明する。
【００１６】
図１に示すように、チェックチェーンカバー１は、チェックチェーン２に取付けられる。チェックチェーン２は、トラクター等の牽引車３と耕運機等の作業機具４との間に設けられたリンク機構５の左右のロアリンク6,7に設けられている。このチェックチェーン２は、操作枠８の前後端部に前後一対のロッド9,10を螺着している。前側のロッド９は、前端部が牽引車３の後部に左右回動自在に取付けられ、後端部が操作枠８の前端部に進退自在に取付けられている。また、後側ロッド10は、前端部が操作枠８の後端部に進退自在に取付けられ、後端部がロアリンク6,7の外側部に左右回動自在に取付けられている。
【００１７】
チェックチェーンカバー１は、前側カバー11と後側カバー12とに分離できるようになっている。
【００１８】
前側カバー11は、前端部に中空円筒状の装着部13を形成し、その装着部13を前側のロッド９に取付けている。なお、装着部13は、ロッド９に螺着してもよく、ロッド９に密着させるのが好ましい。
【００１９】
また、前側カバー11は、装着部13の後部に概略中空円筒状の胴部14を形成し、その胴部14の内部にチェックチェーン２の操作枠８と前側のロッド９との螺着部分15を収容している。胴部14は、蛇腹状に形成することで、チェックチェーン２の伸延方向に沿って伸縮させることができるとともに、通常の状態ではチェックチェーン２の伸延方向に沿って収縮する力が作用するようになっている。
【００２０】
さらに、前側カバー11は、胴部14の後部に円環状の連結部16を形成し、その連結部16に貫通状の係止孔17を円周方向に間隔をあけて２個形成している。
【００２１】
一方、後側カバー12は、後端部に中空円筒状の装着部18を形成し、その装着部18を後側のロッド10に取付けている。なお、装着部18は、ロッド10に螺着してもよく、ロッド10に密着させるのが好ましい。
【００２２】
また、後側カバー12は、装着部18の前部に概略中空円筒状の胴部19を形成し、その胴部19の内部にチェックチェーン２の操作枠８と後側のロッド10との螺着部分20を収容している。胴部19は、蛇腹状に形成することで、チェックチェーン２の伸延方向に沿って伸縮させることができるとともに、通常の状態ではチェックチェーン２の伸延方向に沿って収縮する力が作用するようになっている。
【００２３】
さらに、後側カバー12は、胴部19の前部に円環状の連結部21を形成し、その連結部21にフック22を円周方向に間隔をあけて２個形成している。
【００２４】
そして、チェックチェーンカバー１は、前側カバー11と後側カバー12とが前後に分離した状態において、前側カバー11を収縮力に抗して後方に伸ばすとともに、後側カバー12を収縮力に抗して前方に伸ばすことで、前側カバー11の係止孔17に後側カバー12のフック22を係止することができ、前側カバー11と後側カバー12を連結することができる。なお、チェックチェーンカバー１は、前側カバー11と後側カバー12とが連結された状態では、前側カバー11及び後側カバー12の収縮力によって前側カバー11と後側カバー12とを強固に連結させることができる。
【００２５】
一方、チェックチェーンカバー１は、前側カバー11と後側カバー12とが連結した状態において、前側カバー11を収縮力に抗して後方に伸ばすとともに、後側カバー12を収縮力に抗して前方に伸ばすことで、前側カバー11の係止孔17から後側カバー12のフック22を離脱することができ、前側カバー11と後側カバー12を前後に分離することができる。なお、チェックチェーンカバー１は、前側カバー11と後側カバー12とが前後に分離された状態では、前側カバー11及び後側カバー12の収縮力によって前側カバー11が前側に収縮するとともに後側カバー12が後側に収縮し、前側カバー11と後側カバー12との間からチェックチェーン２の操作枠８を露出させることができる。
【００２６】
以上に説明したように、チェックチェーンカバー１は、牽引車３と作業機具４とを接続するリンク機構５に設けられた操作枠８とその操作枠８に螺着された前後一対のロッド9,10とを有するチェックチェーン２を被覆するものであり、チェックチェーン２の操作枠８とロッド9,10との螺着部分15,20を被覆する構成となっている。
【００２７】
そのため、上記構成のチェックチェーンカバー１は、チェックチェーン２に泥が付着するのを防止することができ、これにより、チェックチェーン２の操作枠８やロッド9,10の腐食を防止することができ、また、チェックチェーン２の操作枠８をロッド9,10に対して円滑に回動させることができ、チェックチェーン２による長さ調節を容易なものとすることができる。
【００２８】
また、上記チェックチェーンカバー１では、チェックチェーン２の前方のロッド側を被覆する前側カバー11と、チェックチェーン２の後方のロッド側を被覆する後側カバー12とに分離可能な構成となっている。
【００２９】
そのため、上記構成のチェックチェーンカバー１は、前側カバー11と後側カバー12とを分離することでチェックチェーンカバー１を取付けた状態のままチェックチェーン２の操作枠８の回動操作を行うことができ、チェックチェーンカバー１の使い勝手を向上させることができる。
【００３０】
また、上記チェックチェーンカバー１は、チェックチェーン２の伸延方向に沿って収縮可能な構成となっている。
【００３１】
そのため、上記構成のチェックチェーンカバー１は、チェックチェーンカバー１の収縮力によってチェックチェーン２にチェックチェーンカバー１を強固に装着させることができ、これによってもチェックチェーンカバー１の使い勝手を向上させることができる。
【符号の説明】
【００３２】
１  チェックチェーンカバー            ２  チェックチェーン
３  牽引車                            ４  作業機具
５  リンク機構                        6,7  ロアリンク
８  操作枠                            9,10  ロッド
11  前側カバー                        12  後側カバー
13,18  装着部                         14,19  胴部
15,20  螺着部分                       16,21  連結部
17  係止孔                            22  フック
【図１】
0003189098.tif 000003